(57)【要約】    【課題】  接眼レンズ部の構造を簡素化にしてその設計を容易にすることができるカメラを提供する。    【解決手段】  対物レンズによってファインダスクリーンに形成された物体像から２次像を形成するリレー光学系を収容するカメラ本体１６と、リレー光学系によって形成された２次像を拡大する第１の接眼ユニット１０とを備え、第１の接眼ユニット１０をカメラ本体１６に対して着脱可能とした。【選択図】        図３
2006078812.tif 000002
【特許請求の範囲】
【請求項１】
対物レンズによって焦点板に形成された物体像から２次像を形成するリレー光学系を収容するカメラ本体と、前記リレー光学系によって形成された２次像を拡大する接眼レンズ部とを備え、
前記接眼レンズ部が前記カメラ本体に対して着脱可能であることを特徴とするカメラ。
【請求項２】
前記カメラ本体の角部に、前記接眼レンズ部が嵌合する嵌合部を設けたことを特徴とする請求項１記載のカメラ。
【請求項３】
前記カメラ本体は、前記リレー光学系の光軸上の前記接眼レンズ部が嵌合する嵌合部の近傍に選択的に挿入可能な遮蔽部材を備えていることを特徴とする請求項１又は２記載のカメラ。
【請求項４】
前記遮蔽部材を前記光軸上から退避させる動作に連動して前記接眼レンズ部を前記カメラ本体に固定する固定機構を備えていることを特徴とする請求項１，２又は３記載のカメラ。
【請求項５】
前記カメラ本体は前記接眼レンズ部内に収容された接眼レンズによる結像位置を変更する視度調節手段を更に備え、前記接眼レンズ部は前記接眼レンズ部の前記カメラ本体への装着動作に応じて、前記視度調節手段の駆動力を前記接眼レンズに伝達して前記結像位置を所定位置に設定する連動機構を備えていることを特徴とする請求項１〜４のいずれか１項記載のカメラ。
【発明の詳細な説明】
【技術分野】
【０００１】
この発明はカメラに関する。
【背景技術】
【０００２】
従来、カメラ、特に一眼レフレックスカメラのファインダ光学系をカメラ本体に対して着脱可能としたカメラは知られている（特開平１０−３２２５７６号公報参照）。
【０００３】
このカメラはカメラ本体と、カメラ本体にロック部材を係合させてカメラ本体に装着され、カメラ本体との間で通信を行うファインダとを備えている。ファインダはカメラ本体の上面に形成されたファインダ装着部に装着される。ファインダにはペンタプリズム、接眼レンズ、保護ガラス等が組み込まれている。
【特許文献１】特開平１０−３２２５７６号公報
【発明の開示】
【発明が解決しようとする課題】
【０００４】
しかし、上記着脱式のファインダには上述したように接眼レンズとペンタプリズム等の光学部材とが一体に組み込まれ、ファインダの構造が複雑であるため、その設計が難しいという問題がある。
【０００５】
この発明はこのような事情に鑑みてなされたもので、その課題はファインダの構造を簡素化してその設計を容易にすることができるカメラを提供することである。
【課題を解決するための手段】
【０００６】
前述の課題を解決するため請求項１記載の発明は、対物レンズによって焦点板に形成された物体像から２次像を形成するリレー光学系を収容するカメラ本体と、前記リレー光学系によって形成された２次像を拡大する接眼レンズ部とを備え、前記接眼レンズ部が前記カメラ本体に対して着脱可能であることを特徴とする。
【０００７】
請求項２記載の発明は、請求項１記載のカメラにおいて、前記カメラ本体の角部に、前記接眼レンズ部が嵌合する嵌合部を設けたことを特徴とする。
【０００８】
請求項３記載の発明は、請求項１又は２記載のカメラにおいて、前記カメラ本体は、前記リレー光学系の光軸上の前記接眼レンズ部が嵌合する嵌合部の近傍に選択的に挿入可能な遮蔽部材を備えていることを特徴とする。
【０００９】
請求項４記載の発明は、請求項１，２又は３記載のカメラにおいて、前記遮蔽部材を前記光軸上から退避させる動作に連動して前記接眼レンズ部を前記カメラ本体に固定する固定機構を備えていることを特徴とする。
【００１０】
請求項５記載の発明は、請求項１〜４のいずれか１項記載のカメラにおいて、前記カメラ本体は前記接眼レンズ部内に収容された接眼レンズによる結像位置を変更する視度調節手段を更に備え、前記接眼レンズ部は前記接眼レンズ部の前記カメラ本体への装着動作に応じて、前記視度調節手段の駆動力を前記接眼レンズに伝達して前記結像位置を所定位置に設定する連動機構を備えていることを特徴とする。
【発明の効果】
【００１１】
この発明のカメラによれば、接眼レンズ部の構造を簡素化にしてその設計を容易にすることができる。
【発明を実施するための最良の形態】
【００１２】
以下この発明の実施の形態を図面に基づいて説明する。
【００１３】
図１はこの発明の一実施形態に係るカメラの構成を説明するブロック図である。
【００１４】
このカメラはカメラ本体１６と第１の接眼ユニット（接眼レンズ部）１０と第２の接眼ユニット（接眼レンズ部）２０とを備えている。
【００１５】
カメラ本体１６は対物レンズ１とメインミラー１９とファインダスクリーン（焦点板）２と屈曲鏡３とリレーレンズ４と撮像素子１８と画像処理装置１５とメモリ１７とカメラ制御装置１４と操作部１３と視度補正アクチュエータ１２とを有する。屈曲鏡３とリレーレンズ４とでリレー光学系が構成される。
【００１６】
メインミラー１９は対物レンズ１から導かれる光に対して４５°だけ傾斜している。非撮影時にメインミラー１９が対物レンズ１の光路上に配置される。
【００１７】
屈曲鏡３はファインダスクリーン２から導かれる光の光軸に対して４５°だけ傾斜している。
【００１８】
ファインダスクリーン２と撮像素子１８とは光学的に等価な位置（共に結像位置）に配置されている。
【００１９】
撮像素子１８には被写体である物体に対応した画像信号が発生する。
【００２０】
メモリ１７としては例えば１フレーム分の記憶容量を有するフレームメモリが用いられる。
【００２１】
カメラ制御装置１４はカメラ全体の制御を行う。カメラ制御装置１４には画像処理装置１５、操作部１３、視度補正アクチュエータ１２等が接続されている。
【００２２】
カメラ制御装置１４は操作部１３で指示された入力値にしたがって視度補正アクチュエータ１２を駆動する。
【００２３】
視度補正アクチュエータ１２は後述する第１の接眼ユニット１０の視度補正連動機構１１（又は第２の接眼ユニット２０の視度補正連動機構２２）と協働して視度を変更する。
【００２４】
第１の接眼ユニット１０、第２の接眼ユニット２０はカメラ本体１６に対して着脱可能である（図１では第１の接眼ユニット１０がカメラ本体１６に装着されている）。  
第１の接眼ユニット１０の視度補正連動機構１１には接眼レンズ９が保持されている。
【００２５】
視度補正連動機構１１はバネ１１ａによって光軸に沿ってカメラ本体１６へ近づく方向へ付勢されている。視度補正アクチュエータ１２が駆動されたとき、視度補正連動機構１１はバネ１１ａによる付勢力に抗して光軸に沿ってカメラ本体１６から離れる方向へ移動する。
【００２６】
第２の接眼ユニット２０は視度補正連動機構２２に保持された接眼レンズ９Ａとレンズ保持枠２３に保持された接眼レンズ２１とを備えている。第２の接眼ユニット２０では接眼レンズ９Ａが光軸に沿って移動する。
【００２７】
視度補正連動機構２２はバネ２２ａによって光軸に沿ってカメラ本体１６へ近づく方向へ付勢されている。視度補正アクチュエータ１２が駆動されたとき、視度補正連動機構２２はバネ２２ａによる付勢力に抗して光軸に沿ってカメラ本体１６から離れる方向へ移動する。
【００２８】
なお、カメラ本体１６は、リレー光学系の光軸に挿脱可能なアイピースシャッタ（遮蔽部材）６と、第１の接眼ユニット１０（第２の接眼ユニット２０）をカメラ本体１６に固定するための接眼ユニット固定機構（固定機構）７と、アイピースシャッタ６及び接眼ユニット固定機構７とを操作するアイピースシャッタ操作部５とを備えている。
【００２９】
アイピースシャッタ操作部５とアイピースシャッタ６と接眼ユニット固定機構７とは一体的に組み付けられ、アイピースシャッタ操作部５の操作に応じてアイピースシャッタ６と接眼ユニット固定機構７とが所定のタイミングで所定方向へ動く。
【００３０】
例えば、第１の接眼ユニット１０をカメラ本体１６に固定したとき、アイピースシャッタ６はリレー光学系の光軸上から退避する（アイピースシャッタ６が開く）。
【００３１】
また、第１の接眼ユニット１０をカメラ本体１６から外したとき、アイピースシャッタ６はリレー光学系の光軸上に配置される。すなわち、第１の接眼ユニット１０をカメラ本体１６から外したときには常にアイピースシャッタ６は閉じる。
【００３２】
非撮影時、対物レンズ１へ入射した光はメインミラー１９で反射され、ファインダスクリーン２に結像（物体像を形成）する。ファインダスクリーン２を透過した光は屈曲鏡３で反射された後、リレーレンズ４によって再結像（２次像を形成）する。２次像は接眼レンズ９によって拡大され、瞳８へ投影される。対物レンズ１、メインミラー１９、ファインダスクリーン２、屈曲鏡３、リレーレンズ４及び接眼レンズ９によってファインダ光学系が構成される。
【００３３】
屈曲鏡３、リレーレンズ４はカメラ本体１６に固定されているので、２次像面（２次像が形成される面）２５は常に一定の位置に形成される。したがって、接眼レンズ９と異なる構成の接眼レンズ２１をカメラ本体１６に対して装着することができる。
【００３４】
撮影時にはメインミラー１９が対物レンズ１の光路上から退避する。対物レンズ１へ入射した光は撮像素子１８の撮像面上に結像する。
【００３５】
撮像素子１８で発生した画像信号はアンプ（図示せず）により増幅され、Ａ／Ｄ変換器（図示せず）によってデジタル信号に変換される。
【００３６】
画像信号はカメラ制御装置１４からの制御信号にしたがって画像処理装置１５で画像処理され、メモリ１７に蓄積される。
【００３７】
図２は図１のファインダ光学系の詳細を説明する図である。
【００３８】
このファインダ光学系は対物レンズ１、メインミラー１９、ファインダスクリーン２、屈曲鏡３、第２の屈曲鏡２３、リレーレンズ４、第３の屈曲鏡２４、及び接眼レンズ９（又は接眼レンズ２１）によって構成される。
【００３９】
非撮影時、被写体から対物レンズ１へ入射した光はメインミラー１９で反射され、ファインダスクリーン２に結像する。ファインダスクリーン２を透過した光は屈曲鏡３、第２の屈曲鏡２３で反射される。第２の屈曲鏡２３で反射された光はリレーレンズ４に入射し、第２の屈曲鏡２３で反射されて再結像する（２次像面２５を形成する）。２次像は接眼レンズ９によって拡大され、瞳８へ投影される。
【００４０】
屈曲鏡３、第２の屈曲鏡２３、リレーレンズ４、第３の屈曲鏡２４はカメラ本体１６に固定されているので、２次像面２５は常に一定の位置に形成される。したがって、このファインダ光学系においても接眼レンズ９と異なる構成の接眼レンズ２１をカメラ本体１６に対して装着することができる。
【００４１】
図３はこの発明の一実施形態に係るカメラを背面側から見た斜視図である。
【００４２】
このカメラではカメラ本体１６の上面に操作部１３とストロボホットシュー３０とが配置されている。
【００４３】
ストロボホットシュー３０は外部ストロボを取り付けるためのコネクタとして機能する。ストロボホットシュー３０は交換レンズ（図３では見えていない）の光軸の上方に配置されている。
【００４４】
カメラ本体１６の背面にはアイピースシャッタ操作部５が配置されている。
【００４５】
カメラ本体１６の角部にはほぼ直方体の第１の接眼ユニット１０が収まる切欠部Ｓが形成されている。
【００４６】
切欠部Ｓの底面には第１の接眼ユニット１０の底面に形成された長溝（図示せず）と嵌合可能なＬ字状断面のレール（嵌合部）２８が設けられている。
【００４７】
切欠部Ｓの側面には第１の接眼ユニット１０の側面に形成された長溝（図示せず）と嵌合可能なＬ字状断面のレール（嵌合部）２７が設けられている。
【００４８】
また、切欠部Ｓの側面に形成された前後方向へ延びる長孔１６ａから視度補正アクチュエータ１２の一部を構成するガイドシャフト１２Ｄ（図５参照）の一部が突き出ている。ガイドシャフト１２Ｄの一部は後述する視度補正嵌合部材３５と嵌合する(図５参照)。
【００４９】
更に、切欠部Ｓの側面には接眼ユニット固定機構７の一部を切欠部Ｓへ突き出すための上下方向へ延びる長孔１６ｂが形成されている。接眼ユニット固定機構７の一部は第１の接眼ユニット１０に形成された凹部（図示せず）と嵌合可能である。
【００５０】
切欠部Ｓの正面には孔１６ｃが形成されている。孔１６ｃはリレー光学系の光軸上に位置し、この孔１６ｃを塞ぐようにアイピースシャッタ６が配置される。
【００５１】
第１の接眼ユニット１０の後端部の周囲にはゴム等の弾性材料からなるシール部材２９が設けられている。シール部材２９は第１の接眼ユニット１０をカメラ本体１６に装着したときの両者間に生じる隙間をシールする。
【００５２】
図４はアイピースシャッタ操作部とアイピースシャッタと接眼ユニット固定機構との接続関係を説明する図である。
【００５３】
アイピースシャッタ操作部５はほぼ巴形のレバーであり、軸３２の一端に固定されている。
【００５４】
軸３２の他端にはアイピースシャッタ６がアイピースシャッタ連結バネ３１を用いて取り付けられている。アイピースシャッタ６は第１の羽根６ａと第２の羽根６ｂとを有する。
【００５５】
軸３２の中間部には接眼ユニット固定機構７が回転可能に支持されている。
【００５６】
また、軸３２の中間部には接眼ユニット固定機構７を挟んで付勢バネ３３と解放レバー３４とが設けられている。
【００５７】
付勢バネ３３は接眼ユニット固定機構７を固定方向（図４では上方）に付勢する。
【００５８】
解放レバー３４はＬ字形であり、その一方の端部が軸３２に固定されている。その他端側は接眼ユニット固定機構７と係合する。
【００５９】
アイピースシャッタ操作部５をアイピースシャッタ連結バネ３１のバネ力に抗して反時計方向へ回転させると、軸３２が同方向へ回転し、アイピースシャッタ６がリレー光学系の光軸上に配置され、孔１６ｃ（図３参照）を遮蔽する。なお、アイピースシャッタ６は第１の羽根６ａ、第２の羽根６ｂの順序で回転する。
【００６０】
このとき、解放レバー３４によって接眼ユニット固定機構７が解放方向（図４では下方）へ回転する。
【００６１】
接眼ユニット固定機構７が解放方向へ回転すると、接眼ユニット固定機構７が第１の接眼ユニット１０に形成された凹部から抜け出し接眼ユニット固定機構７と第１の接眼ユニット１０との結合状態が解除され、第１の接眼ユニット１０をカメラ本体１６から取り外すことができるようになる。
【００６２】
なお、第１の接眼ユニット１０をカメラ本体１６に装着して固定する際には上記作業を逆の順序で行えばよい。
【００６３】
図５は視度調整方法を説明する図である。
【００６４】
カメラ制御装置１４は例えばワンチップマイクロコンピュータで構成される。
【００６５】
カメラ制御装置１４は操作部１３、視度補正アクチュエータ１２に接続されている。
【００６６】
視度補正アクチュエータ１２はモータ１２Ａとリードねじ１２Ｂと移動部材１２Ｃとガイドシャフト１２Ｄとを有する。
【００６７】
リードねじ１２Ｂはモータ１２Ａの出力軸（図示せず）に連結されている。リードねじ１２Ｂに形成されたおねじには移動部材１２Ｃのめねじが螺合している。リードねじ１２Ｂと移動部材１２Ｃとはねじ対偶の関係にあり、移動部材１２Ｃはモータ１２Ａの駆動によりリードねじ１２Ｂに沿って移動する。
【００６８】
ガイドシャフト１２Ｄは移動部材１２Ｃに支持され、その一部が長孔１６ａから切欠部Ｓに突き出ている。
【００６９】
ガイドシャフト１２Ｄは視度補正連動機構１１の視度補正嵌合部材３５に形成された切欠と嵌合する。視度補正連動機構１１は接眼レンズ９を保持する。なお、視度補正連動機構１１はバネ（図示せず）によって矢印に示す方向（カメラ本体１６へ近づく方向）へ付勢されている。
【００７０】
操作部１３、カメラ制御装置１４及び視度補正アクチュエータ１２で請求項５の視度調整手段が構成される。また、視度補正連動機構１１が請求項５の連動機構を構成する。
【００７１】
例えば第１の接眼ユニット１０に代えて第２の接眼ユニット２０をカメラ本体１６に装着したとき、カメラ制御装置１４は操作部１３で指示された入力値にしたがってモータ１２Ａを駆動し、接眼レンズ９の位置を移動する。このとき、カメラ本体１６で予め設定した視度になる（所定の結像位置になる）ように視度補正アクチュエータ１２、視度補正嵌合部材３５等が制御される。
【００７２】
なお、モータ１２Ａとリードねじ１２Ｂとによって移動部材１２Ｃを移動させるようにしたが、例えばカムや歯車等を用い、手動で移動部材１２Ｃを移動させるようにしてもよい。
【００７３】
この実施形態によれば、リレー光学系を採用し、接眼ユニットをカメラ本体に対して着脱可能としたので、接眼ユニットの構造が簡素化し、接眼ユニットの設計を容易にすることができる。
【００７４】
また、カメラ本体１６の角部にはほぼ直方体の第１の接眼ユニット１０が収まる切欠部Ｓが形成され、ストロボホットシュー３０を配置することが避けられるため、第１の接眼ユニット１０に外部ストロボとの電気接点や嵌合部の強度を向上させるための補強部材を設ける必要がない。その結果、第１の接眼ユニット１０のコストアップや重量増加を防止することができる。
【００７５】
更に、カメラ本体１６の中央に大きな開口部がなくなり、カメラ本体１６の剛性を高めるための補強部材を設ける必要がなくなり、構造が簡素化する。その結果、カメラ本体１６の大型化や重量増加を防止することができる。
【００７６】
また、第１の接眼ユニット１０の底面及び側面にそれぞれ形成された長溝が切欠部Ｓの底面及び側面にそれぞれ形成されたレール２８，２７とそれぞれ嵌合するので、第１の接眼ユニット１０をガタなくカメラ本体１５に装着することができる。
【００７７】
更に、第１の接眼ユニット１０（第２の接眼ユニット２０）を取り外した際には、常にアイピースシャッタ６が閉じているので、カメラ本体１６内への塵埃の浸入を防止することができる。
【００７８】
また、アイピースシャッタ操作部５を操作するだけで、第１の接眼ユニット１０とカメラ本体１６との固定状態を解除することができるとともに、アイピースシャッタ６をリレー光学系の光軸に挿入することができるので、２つの機能を実現する専用の操作部材を必要としない。したがって、全体として操作部材の数を減少させることができ、カメラ本体１６の構造を簡素化できる。
【００７９】
更に、第１の接眼ユニット１０をカメラ本体１６に装着したとき、カメラ本体１６で予め設定した視度になるので、接眼ユニットを交換する度に視度を設定し直す必要がなく、操作性が向上する。
【図面の簡単な説明】
【００８０】
【図１】図１はこの発明の一実施形態に係るカメラの構成を説明するブロック図である。
【図２】図２は図１のファインダ光学系の詳細を説明する図である。
【図３】図３はこの発明の一実施形態に係るカメラを背面側から見た斜視図である。
【図４】図４はアイピースシャッタ操作部とアイピースシャッタ、接眼ユニット固定機構との接続関係を説明する図である。
【図５】図５は視度調整方法を説明する図である。
【符号の説明】
【００８１】
１  対物レンズ
２  ファインダスクリーン（焦点板）
３  屈曲鏡
４  リレーレンズ
６  アイピースシャッタ（遮蔽部材）
７  接眼ユニット固定機構（固定機構）
１０  第１の接眼ユニット（接眼レンズ部）
１１，２２  視度補正連動機構（連動機構）
１２  視度補正アクチュエータ
１３  操作部１３
１４  カメラ制御装置
１６  カメラ本体
２０  第２の接眼ユニット（接眼レンズ部）
２７，２８  レール（嵌合部）
３５  視度補正嵌合部材
Ｓ  切欠部
【図１】
2006078812.tif 000003
【図２】
2006078812.tif 000004
【図３】
2006078812.tif 000005
【図４】
2006078812.tif 000006
【図５】
2006078812.tif 000007